(57)【要約】      （修正有）【課題】便利で扱いやすく、暖気の流出を最小限に止め効率の良いこたつ機能を備えたテーブルを提供する。【解決手段】天板１と同天板１の裏面に設けられた脚２と天板１の辺内側近傍に取り付けられたレールとレール内を摺動する複数の吊り下げ具に接続し、脚２下端まで伸張した遮温スカート８と各コーナー辺部に接続するコーナー遮温スカート９からなるテーブルに於いてテーブル下部周辺を吊巡らすスカートを３分割してスカートの小型且つ軽量化を可能にした。更にこのテーブルに於いて天板１裏面中央のヒータープラグからコントローラー１４に接続するコード１７を天板裏面に接合したコーナーレール繋ぎ側辺部よりテーブル表面に取り出し脚２表面部に接合したコントローラー収納部にコントローラー１４を収納した。【選択図】図１
2015205151.tif 000002
【特許請求の範囲】
【請求項１】
天板と同天板の裏面に設けられた脚と前記天板の辺の内側近傍にレール受け木とレールを接合。この吊下げレールと同吊下げレール内を摺動する吊下げ具と同吊金具に取り付けられ前記脚下端まで伸張した遮温スカートとコーナー遮温カートからなるスカートのテーブルに於いて、前記レールと隣接側辺部のレールが直角に交わる各コーナーにレールコーナー繋ぎを接合したレールにコーナー隅切り辺部及び天板裏面長手方向レール受け木内側中央部に設けた吊金具とレールの中央部両隣傍の可動吊具を結ぶ両辺部の吊元から裾部に至る扇形状の蛇腹襞付平坦遮温布状のコーナー遮温スカート及び吊元から裾方向に向かって扇形状に広がる複数枚の平坦遮温布を蛇腹状に連結縫合形成された蛇腹襞付コーナー遮温スカートの両側辺に遮温スカートを連結縫合したスカートを天板裏面の周辺部及び各コーナー辺部に吊り下げ巡る形態に構成されている事を特徴とするテーブル。
【請求項２】
請求項１記載のテーブルであって、天板裏面長手方向辺に接合されたレールに吊り下げられたスカート部と隣接の短手方向辺のスカートから前記長手方向辺の対抗辺のレール受け木の中央部内側に設けた吊金具を末端とするスカート部と、前記同スカート部を反転した形状のスカート部に、３分割する形態に構成さていることを特徴とするテーブル。
【請求項３】
請求項１記載のテーブルに於いて前記コーナー遮温スカートの下端裾部に重錘を設けたことを特徴とするテーブル。
【請求項４】
テーブルの天板裏面の脚内側近傍辺に接合されたレールに複数の可動吊具を備えたレールに遮温スカートを吊巡らす行程で、可動吊具と同可動吊具との隣間に遮温スカートに円弧形状の弛みを設け、可動吊具間の遮温スカートの間隔距離が伸縮可能な形態のスカートでありテーブルの大小に関わらず遮温スカートの距離は対応して天板裏面周辺に接合した前記レールに吊巡らす形態に構成されていることを特徴とするテーブル。
【請求項５】
請求項１に記載のテーブルであって、天板裏面中央部のヒータープラグからコントローラーに接続されたコードをレールコーナー繋ぎ側辺部に隣接するレール受け木の端辺部に通線用切り込み溝を形成した部にコードを通線し、切り込み溝とコードの隙間に遮温パットを充填し、テーブル表面にコントローラーを取り出し可能にした形態を特徴とするテーブル。
【請求項６】
請求項１から請求項５のいずれか１項記載のテーブルであって、和風洋風の形態に限らず前記天板の裏面の中央部に発熱器を固定した形態を特徴とするテーブル。
【発明の詳細な説明】
【技術分野】
【０００１】  本発明は、遮温効果の高い遮温スカートを天板の下方に吊り巡らせたテーブルに関する。
【背景技術】
【０００２】  日本国民に長く親しまれてきた伝統ある和式こたつの形態は櫓の上に布団を被せ、その上に天板を置く構造となっているが現在の家庭生活に於いては急速に椅子生活様式に移行ししている。これ迄にこたつ布団を直接天板に取り付ける構成やテーブル天板の裏面の脚部間で脱却するカーテンレールを施し、短冊切りをした遮蔽布をテーブル下部３側面に吊し前記テーブルの短手方向辺の開口部に向かって外部より温風を吹き込む形態のテーブル。【０００３】  畳生活習慣の中で生まれたこたつの使用形態は、こたつ櫓の高さが低く畳及び床板に着座する重心が低い体制で使用するので両脇からの隙間風が流入する部が小さく暖気の気密性が保たれている。【０００４】  特許文献１は、テーブル天板の裏面部又は櫓部又は脚部間に着脱自在の短冊切りをした遮蔽布を配し、テーブル短手方向の開口部に面したテーブルの外側部に配した温風暖房機から天板裏面下部空間に向かって連続的に温風を吹き込み天板裏面下部空間部に充満させた温風を短冊切りをした遮蔽布の間から外部へ押しだし部屋全体をも暖めることを構成としたテーブル。【０００５】  特許文献２には机の天板やいすの座板または側板などにカーテンレールを付けておく。そして必要に応じてカーテンを取り付け、取り付けてあったカーテンを開けたり閉めたりすることにより、簡易に足元の保温効果を上げる形態のテーブルであり状況に応じて足元に暖房器具を置いて暖房効果を上げる構成のテーブル。【０００６】  特許文献３には和式こたつ天板裏面にこたつ布団を固定プレートにＴ字ロックピンを併用した複数個のプレートを天板及び支持脚に埋め込み、こたつ布団を直接又は直接的にプレートに取り付ける構成のこたつであり、吊り込む布団形状が正方形状の中央部に四角形状の切り取り部がある四角環状体のテーブル。
【先行技術文献】
【特許文献】
【０００７】
【特許文献１】  特開２００７−１９００４０号  公報
【特許文献２】  特開２００８−１８１９８号    公報
【特許文献３】  特開２０１１−１０６７９７号  公報
【発明の概要】
【発明が解決しようとする課題】
【０００８】  しかしながら特許文献１に記載のテーブルの脚部間３面に短冊切りにした遮蔽布を施し、テーブル短手方向開口部に面した外側部に配した温風暖房機から天板裏面下部空間に向かって連続的に温風を吹き込み天板裏面下部空間部に充満させた暖気を脚部間３面の短冊切りにした遮蔽布の隙間から暖気を押しだし部屋全体をも暖める形態は、開放型でありこたつとしての目的であるテーブル内部の気密性の高い暖気留保機能が全く発揮されない。又テーブル外部に配した温風暖房機からテーブル下部空間に吹き込まれる温風で暖気が充満してテーブル下部から押し出され部屋全体を暖めるには部屋の規模及び部屋の断熱構造によって温風暖房機の熱源供給容量が大幅に変わり、温風暖房機の長時間連続運転が必要となり多量の電力消費となる。更に部屋全体の断熱構造設備に大掛かりな工事と費用が必要となる。【０００９】  特許文献２で示している机を囲む様にカーテンレールを天板裏面に埋め込み机の下に暖房器具を配しカーテンの開け閉めで保温効果を上げる形態を示しているがカーテンの開閉だけで使用者の下半身を満足させるに十分な暖気を貯留することは不可能である。また状況に応じて足元に暖房器具を置いて暖房効果を上げる構成は、一般に市販されている暖房器具には温度調節機が付備されており自由にこたつ内部の温度調節が可能でありカーテンの開閉による温度調節は不合理である。次にカーテンを吊る吊元に係る構造でレールに接続するランナー付丸金具に接続するカーテン天端辺に接続したフックの重心がカーテンの重力によりランナー重心側に移動するため、天板裏面部から床に向かって下がりフックに接続したカーテン天端辺と天板裏面部の間に生じる隙間から常時暖気が流出する。【００１０】  特許文献３に於いては和式こたつ天板裏面にこたつ布団を複数の固定プレートとＴ字ロックピンを併用して天板外周辺側傍及び支持脚にこたつ布団を直接又は直接的に全て固定して取り付ける構成のこたつであり、天板裏面と布団を吊り込む接続形態及び構成が本発明と全く異なる。又布団形状が正方形状の中央部に四角形状の切り取り部がある四角環状体とする布団形状も本発明の吊構造による形態及び構成が全く異なっている。【００１１】  そのため出願人は上記各特許文献の課題点を解消することを目的とした特願２０１４−０９３１２３号発明を出願しているが、本発明はこの特願２０１４−０９３１２３号発明をさらに改良を加えて先の出願に基づく優先権主張を出願して使いやすい合理的なテーブルを提供することを目的としてなされた。
【課題を解決するための手段】
【００１２】    本発明は天板と同天板の裏面に設けられた脚と天板の辺の内側近傍に取り付られた吊り下げレール内を摺動する吊り下げ具と同吊り下げ具に取り付けられた床面に達する下端まで伸張した遮温スカートと各コーナー遮温スカートからなるテーブルに於いて、コーナー遮温スカートは吊元辺から裾方向に向かって広がる裾縁辺が円弧状をなした扇形状で蛇腹状襞付平坦遮温布、又は複数枚の平坦遮温布と同平坦遮温布どうしを連結縫合する蛇腹状部からなり、蛇腹状部の山部と谷部は上下に伸びて山部と谷部との間隔が上部から下部に向かって扇形状に逐次広くなっている襞付蛇腹形状のテーブル。このテーブルに於いて、コーナー遮温スカートの下端の裾縁辺に重錘を設けたテーブルを提供する
【発明の効果】
【００１３】  本発明のテーブルによれば前項に記した遮温スカートの隣接両側辺の裾周りに重錘を設けたコーナー遮温スカートを縫合したスカートを天板裏内側側傍に吊り吊巡らす形態によってテーブルの使用に際して遮温スカートを膝の上にあげてもコーナー遮温スカートの下端の裾周りが円弧状に広がりスカートと床面の間に生ずる隙間からの暖気流出を防ぐことができる形態のテーブル。【００１４】  テーブルの大型化に伴い大型化したスカートを３分割することでスカートの小型且つ軽量化されスカートの脱着や洗濯及び収納等維持管理の負担が大幅に減少すると共に裾部が円弧状で扇形状の蛇腹状襞付遮温平坦布のコーナー遮温スカート側辺部襞に沿った位置でテーブル表面に目立つことなくファスナー及びマジックテープ等で接続可能とした形態のテーブル。【００１５】  このテーブルに於いて天板裏面中央のヒータープラグからコントローラーに接続するコードをレールコーナー繋ぎ側辺部に隣接する吊り下げレール受け木の端辺部に通線用切り込み溝を形成した部にコードを通線し、切り込み溝とコードの隙間に遮温パットを充填し、こたつ表面にコントローラーを取り出し可能にした形態のテーブルであり使用する際テーブルに座った位置で遮温スカートをめくらず楽にコントローラを手に取って操作することが出来る。又、コントローラの操作の度にスカートをめくらずに操作が出来るので暖気流出防止が可能となる形態のテーブル。【００１６】  前記テーブルに於いて付属するいすの座席面下の前面及び両側面三方を囲む構成の平坦遮温布付クッションをいすの座席面上に置き前期テーブルのスカートといすとの接触部に生ずる隙間からの暖気流出を防止する形態のテーブル。
【図面の簡単な説明】
【００１７】
【図１】  本発明の実施例であるテーブルの斜視図。
【図２】  テーブル天板裏面平面図。
【図３】  図１中のＩ−Ｉ部断面図。
【図４】  図２中のＩＩ−ＩＩ部拡大詳細図。
【図５】  遮温スカート８の平面姿図。
【発明を実施するための形態】
【００１８】  本発明の実施形態を図１から図５に基づいて具体的に説明する。
【００１９】  図１乃至図２に記載のテーブルに於いて、  天板１と同天板１の裏面に設けられた脚２と前記天板１の辺の内側近傍にレール受け木４とレール３を接合。この吊下げレール３と同吊下げレール３内を摺動する吊下げ具と同吊金具２０に取り付けられ前記脚２下端まで伸張した遮温スカート８とコーナー遮温カート９からなるスカートのテーブルに於いて、前記レールと隣接側辺部のレール３が直角に交わる各コーナーにレールコーナー繋ぎ７を接合したレール３にコーナー隅切り辺部及び天板１裏面長手方向レール受け木４内側中央部に設けた固定吊具５とレール３の中央部両隣傍の可動吊具６を結ぶ両辺部の吊元から裾部に至る扇形状の蛇腹襞付遮温平坦布１８状のコーナー遮温スカート９及び吊元から裾方向に向かって扇形状に広がる複数枚の遮温平坦布を蛇腹状１９に連結縫合形成された蛇腹襞付コーナー遮温スカート９の両側辺に遮温スカート８を連結縫合したスカートを天板１裏面の周辺部及び各コーナー辺部に吊り下げ巡る形態に構成されている。尚レールコーナー繋ぎ７のコーナー角部両先端に付備した固定吊具間を結ぶスチールアームを接続し、コーナー遮温スカート９を吊元部に複数の吊金具２０を介して前記スチールアームに接続する形態。
天板１の裏面の中央部には長方形状のヒーター２１の短手方向辺双方に接合したヒーター受け木１０で支えられている形態のテーブル。又は天板１裏面の中央部に接合するテーブル。
【００２０】    前記記載のテーブルに於いて天板１裏面中央のヒータープラグ１６からコントローラー１４接続されたコード１７をレールコーナー繋ぎ７側辺部に隣接する吊り下げレール受け木４の端辺部に通線用切り込み溝を形成した部にコード１７を通線し、切り込み溝とコード１７の隙間に遮温パットを充填し暖気流出を防ぎ前記コード１７をテーブル表面に取り出してテーブルの脚２部に設けたコントローラー収納部にコントローラー１４を収納可能にした形態のテーブル。
【００２１】    図２に記載のテーブル天板１裏面の周辺内側近傍に接合されたレール３に複数の可動吊具６を備えた、レール３に遮温スカート８を吊巡らす各々の可動吊具６と同吊具６との隣間に遮温スカート８を円弧形状の弛みをとり、可動吊具６間の遮温スカートの距離が伸縮可能な形態の遮温スカート８でテーブルの大小に関わらず対応可能にして天板裏面の各周辺に吊巡らすことができる形態に構成されているテーブル。
【００２２】    遮温スカート８の吊構造は、図５に示す遮温スカート８の上端部に、鳩目金具１３が装着された吊元補強布１２が縫合されていて、図４参照  遮温スカート８と吊元補強布１２との間に吊金具２０が挿入され縫合固定されている。吊金具２０の上先端は天板１の外部方向に傾斜して可動吊具５に接続する構成で、吊元重心と吊金具２０の重心及び遮温スカート８の重心が同一線上にありレール３の外周側辺部の内側部に位置する。前記重心線上に遮温スカート８の重力が加わると吊金具２０の上部先端がレール３の外周側辺部及びテーブル外周辺内側中心部方向に移動して吊元補強布１２とレール３が密着し暖気流出を防ぐと共に使用に際して着座中遮温スカート８の重心が膝上に移動する力が加わって遮温スカート８の上端及び吊元補強布１２がレール３の外周側辺部に重心移動してレール３外側辺面と吊元補強布１２の間がしっかり密着し暖気の流出を防ぐ形態のテーブル。
【００２３】  図５に記載する遮温スカート８平面姿図参照。天板裏面長手方向辺に接合されたレールに吊り下げられた遮温スカート８の両側辺双方にコーナー遮温スカート９折半部を縫合したスカート部と同形状のスカート部を連結縫合したスカート部、と短手方向辺の遮温スカート８の両側辺に縫合されたコーナー遮温スカート９折半部から前記長手方向対向辺に隣接するコーナー遮温スカート９折半部に縫合したスカートに同長手方向対抗辺のレールに接合されたレール受け木中央部に設けた固定吊具５から前記レール中央部の可動吊具６に結ぶコーナー遮温スカート９折半部を縫合したスカート部と、前記同スカートを反転した形状のスカート部、に３分割可能とした形態に構成されたスカート。
【００２４】  図５は、図１実施例であるテーブルの斜視図に示すスカートの平面姿図である。
2015205151.tif 000003
辺をファスナー及びマジックテープ１１等で順次接続し一対のスカートに形成した形態のテーブル。
【００２５】  レール３には、遮温スカート８及びコーナー遮温スカートの上端部に複数個取り付けられた吊金具を介して可動吊具６に連結されている。遮温スカート８は、キルティング加工した平坦遮温布でありコーナー遮温スカート９は蛇腹襞付平坦遮温布１８であって吊元から下部に向かって床部に接する裾縁辺部まで扇形状に広がる形態のコーナー遮温スカート９と、複数の遮温平坦布１８状部と同遮温平坦布１８状部どうしを連結する蛇腹状部１９から形成されており蛇腹の山部と谷部とが上下に伸びるように取り付けられている。又蛇腹の山谷の距離〈間隔〉は上部から下部に向かって徐々に広くなるように形成されているコーナー遮温スカート９からなっている。又長手方向中央部にあるコーナー遮温スカート９は長手方向レール受け木４中央部内側に設けた吊金具５とレール３の中央部両燐傍の可動吊具６を結ぶ両辺部の吊元から裾部に至る円弧状をした扇形状のコーナー遮温スカート９である。又コーナー遮温スカート９下端の裾縁辺には下方に引っ張られるように重錘が設けられている形態のテーブル。
【００２６】    本発明で提供するこたつ機能を備えた遮温スカート８付きテーブルの各部品をユニットタイプにしたユニット機材を、すでに市場に出ている既製家具の洋式テーブル又は食卓テーブル又は和式テーブルで、一般家庭で使用中もしくは納戸入りしている前記家具に前記テーブルユニット機材を提供し、本発明のこたつ機能を備えた遮温スカート８及びコーナー遮温スカート９付きテーブルを提供する。
【００２７】    尚、本発明では上記実施形態及び構成等で吊り構造を使った遮温スカート８及びコーナー遮温スカート９及び吊金具２０及びレール３の素材．形態等及び既製改良家具等に付き言及しているが、本発明の目的効果を奏する範囲に於いてその他の素材．形態、構成等をも包含する事は無論である。
【００２８】    以上本実施例は長方形の天板のテーブルであるが、長方形に限らず正方形、円形等いかなる形のものにも適用できる。
【符号の説明】
【００２９】  １  天板
２  脚
３  レール
４  レール受け木
５  固定吊具
６  可動吊具
７  レールコーナー繋ぎ
８  遮温スカート
９  コーナー遮温スカート
１０  ヒーター受け木
１１  ファスナー及びマジックテープ
１２  吊元補強布
１３  鳩目金具
１４  コントローラー
１５  縫合部
１６  ヒータープラグ
１７  コード
１８  蛇腹襞付平坦遮温布
１９  蛇腹状
２０  吊金具
２１  ヒーター
【図１】
2015205151.tif 000004
【図２】
2015205151.tif 000005
【図３】
2015205151.tif 000006
【図４】
2015205151.tif 000007
【図５】
2015205151.tif 000008